(57)【要約】【課題】  本発明は幼児や子供が楽しく使用することができるとともに、幼児や子供が椅子として使用できる期間が過ぎても、あるいは期間中でも玉入れや輪投げ等のゲームを楽しむことができ、かつ小物入れとしても使用することができる椅子を得るにある。【解決手段】  円筒状の脚部材と、この円筒状の脚部材の上下部を覆うように取付けられる上下座板と、この上下座板の一方の座板のほぼ中央部に固定された、前記脚部材内に位置するポールと、前記脚部材と前記上下座板とを着脱可能に取付ける取付け手段とで椅子を構成している。【選択図】  図３
2008029592.tif 000002
【特許請求の範囲】
【請求項１】
円筒状の脚部材と、この円筒状の脚部材の上下部を覆うように取付けられる上下座板と、この上下座板の一方の座板のほぼ中央部に固定された、前記脚部材内に位置するポールと、前記脚部材と前記上下座板とを着脱可能に取付ける取付け手段とからなることを特徴とする椅子。
【請求項２】
円筒状の脚部材と、この円筒状の脚部材の上下部が入り込む凹部が形成され、該脚部材の上下部を覆うように取付けられるキャラクター形状あるいは模様の上下座板と、この上下座板のほぼ中央部に螺合固定すると、該上下座板および前記脚部材を固定でき、上下座板を反時計方向に回転させると外すことができるポールとからなることを特徴とする椅子。
【請求項３】
円筒状の脚部材と、この脚部材の上下部に形成された上下ねじ部と、この脚部材の上下ねじ部と螺合固定される、該脚部材の上下部を覆うキャラクター形状あるいは模様の上下座板と、この上下座板の一方の座板のほぼ中央部に固定された前記脚部材内に位置するポールとからなることを特徴とする椅子。
【発明の詳細な説明】
【技術分野】
【０００１】
本発明は幼児や子供が使用する椅子に関する。
【背景技術】
【０００２】
従来の幼児や子供が使用する椅子は、キャラクターの図柄がプリントされたものが多く市販されている。
【０００３】
しかしながら、このような椅子は短期間だけ使用されるだけで、使用期間が過ぎると使用できなくなるという欠点があった。
【特許文献１】特になし
【発明の開示】
【発明が解決しようとする課題】
【０００４】
本発明は以上のような従来の欠点に鑑み、幼児や子供が楽しく使用することができるとともに、幼児や子供が椅子として使用できる期間が過ぎても、あるいは期間中でも玉入れや輪投げのゲームを楽しむことができ、かつ小物入れとしても使用することができる椅子を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は円筒状の脚部材と、この円筒状の脚部材の上下部を覆うように取付けられる上下座板と、この上下座板の一方の座板のほぼ中央部に固定された、前記脚部材内に位置するポールと、前記脚部材と前記上下座板とを着脱可能に取付ける取付け手段とで椅子を構成している。
【発明の効果】
【０００７】
以上の説明から明らかなように、本発明にあっては次に列挙する効果が得られる。
【０００８】
（１）円筒状の脚部材と、この円筒状の脚部材の上下部を覆うように取付けられる上下座板と、この上下座板の一方の座板のほぼ中央部に固定された、前記脚部材内に位置するポールと、前記脚部材と前記上下座板とを着脱可能に取付ける取付け手段とで構成されているので、椅子として使用できるとともに、上下座板の一方の座板を外すと、座板の中央部にポールが固定されたものと座板に円筒状の脚部材が取付けられたものに分けることができる。
このため、ポールが固定された方は輪投げとして使用することができ、他方は玉入れとして使用することができる。
【０００９】
（２）前記（１）によって、一方の座板を外して円筒状の脚部材を開口し、内部に小物を収納することができる。
したがって、椅子としての使用、座板が平坦であるためテーブルとしての使用や円筒状の脚部材内に小物をいれて使用する小物入れとしての使用ができる。
【００１０】
（３）前記（１）によって、構造が簡単であるので、容易に製造することができる。
【００１１】
（４）請求項２も前記（１）〜（３）と同様な効果が得られるとともに、上下座板がキャラクター形状あるいは模様になっているので、楽しく使用することができる。
また、ポールによって上下座板を固定することができる。
【００１２】
（５）請求項３も前記（１）〜（３）と同様な効果が得られる。
【発明を実施するための最良の形態】
【００１３】
以下、図面に示す本発明を実施するための最良の形態により、本発明を詳細に説明する。
【００１４】
図１ないし図７に示す本発明を実施するための最良の第１の形態において、１は本発明の椅子で、この椅子１は紙、木材、合成樹脂材等で円筒状に形成された脚部材２と、この脚部材２の上下部が入り込む凹部３、３が形成された、該脚部材２の上下部を覆うように取付けられるライオンの顔の形状に形成された木材、合成樹脂材製の上下座板４、４と、この上下座板４、４のほぼ中央部の前記凹部３、３内に複数本のタッピングビス５、５で固定された中央部にボルト６およびハンガーボルト７が固定された座金８、９およびこの座金８、９のボルト６とハンガーボルト７と螺合されるねじ部１０、１１が両端部に形成されたポール１２とからなる取付け手段Ｘで構成されている。
【００１５】
上記構成の椅子１は上面に位置する座板４がシートクッションとなって座ることができる。この場合、上下座板４、４がライオンの顔の形状になっているので、楽しく使用できる。
また、上下座板４、４を反時計方向に回転させることにより、ポール１２とボルト６との螺合が外れ、ポール１２が固定された一方の座板４と、他方の座板４に脚部材２とが位置するものとに分けることができ、ポール１２が固定された一方の座板４は輪投げとしての遊びに使用でき、他方の座板４に脚部材２が位置するものは玉入れとしての遊びに使用できる。
なお、輪投げ用の輪１３や玉入れ用の玉１４は、あらかじめ脚部材２内に収納されている。
また、脚部材２内にはその他の小物を収納する場合に使用してもよい。
[発明を実施するための異なる形態]
【００１６】
次に、図８ないし図２４に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図８ないし図１０に示す本発明を実施するための第２の形態において、前記本発明を実施するための最良の第１の形態と主に異なる点は、ブタの顔の形状の上下座板４Ａ、４Ａを用いた点で、このような上下座板４Ａ、４Ａを用いて構成した椅子１Ａにしても、前記本発明を実施するための最良の第１の形態と同様な作用効果が得られる。
【００１８】
図１１ないし図１３に示す本発明を実施するための第３の形態において、前記本発明を実施するための最良の第１の形態と主に異なる点は、トラの顔の形状の上下座板４Ｂ、４Ｂを用いた点で、このような上下座板４Ｂ、４Ｂを用いて構成した椅子１Ｂにしても、前記本発明を実施するための最良の第１の形態と同様な作用効果が得られる。
【００１９】
図１４ないし図１７に示す本発明を実施するための第４の形態において、前記本発明を実施するための最良の第１の形態と主に異なる点は、ライオンの顔の形状の座板４と、トラの顔の形状の座板４Ｂとを上下座板４、４Ｂとして用いた点で、このような上下座板４、４Ｂを用いて構成した椅子１Ｃにしても、前記本発明を実施するための最良の第１の形態と同様な効果が得られるとともに、上下を逆にすることによりキャラクターの異なる椅子となり、より楽しく使用することができる。
なお、本発明を実施する形態では上下座板４、４Ｂのキャラクターが異なればよく、ライオンとトラ以外の組み合わせにしてもよい。
【００２０】
図１８ないし図２１に示す本発明を実施するための第５の形態において、前記本発明を実施するための最良の第１の形態と主に異なる点は、上下外周面にねじ部１５、１５が形成された脚部材２Ａと、ネコの顔の形状に形成され、凹部３、３を形成する部位の壁面に、前記脚部材２Ａのねじ部１５、１５と螺合するねじ部１６、１６が形成された上下座板４Ｃ、４Ｃと、この上下座板４Ｃ、４Ｃの一方のほぼ中央部の凹部３内に固定されたポール１２Ａとで構成した点で、このように構成した椅子１Ｄにしても、前記本発明を実施するための最良の第１の形態と同様な作用効果が得られる。
【００２１】
図２２ないし図２４に示す本発明を実施するための第６の形態において、前記本発明を実施するための第５の形態と主に異なる点は、上下内壁面にねじ部１７、１７が形成された脚部材２Ｂと、この脚部材２Ｂの上下ねじ部１７、１７と螺合されるねじ部１８、１８が形成された上下座板４Ｄ、４Ｄを用いた点で、このような脚部材２Ｂと上下座板４Ｄ、４Ｄを用いて構成した椅子１Ｅにしても、前記本発明を実施するための第５の形態と同様な作用効果が得られる。
【００２２】
なお、前記本発明を実施する形態では脚部材２、２Ａ、２Ｂの外周部にプリントシートを貼着したり、模様を描いたものを用いてもよい。
また、前記本発明を実施する各形態では、上下座板は動物の顔の形状に形成したものについて説明したが、本発明はこれに限らず、動物や花等の模様だけを施したり、形状に模様を付加したもの等であってもよい。
【産業上の利用可能性】
【００２３】
本発明は椅子を製造する産業で利用される。
【図面の簡単な説明】
【００２４】
【図１】本発明を実施するための最良の第１の形態の平面図。
【図２】本発明を実施するための最良の第１の形態の正面図。
【図３】図１の３−３線に沿う断面図。
【図４】本発明を実施するための最良の第１の形態の分解する時の説明図。
【図５】本発明を実施するための最良の第１の形態の分解し、輪投げとしての使用説明図。
【図６】本発明を実施するための最良の第１の形態の分解し、玉入れとしての使用説明図。
【図７】本発明を実施するための最良の第１の形態の小物入れとしての使用説明図。
【図８】本発明を実施するための第２の形態の平面図。
【図９】本発明を実施するための第２の形態の正面図。
【図１０】図８の１０−１０線に沿う断面図。
【図１１】本発明を実施するための第３の形態の平面図。
【図１２】本発明を実施するための第３の形態の正面図。
【図１３】図１１の１３−１３線に沿う断面図。
【図１４】本発明を実施するための第４の形態の平面図。
【図１５】本発明を実施するための第４の形態の正面図。
【図１６】本発明を実施するための第４の形態の底面図。
【図１７】図１４の１７−１７線に沿う断面図。
【図１８】本発明を実施するための第５の形態の平面図。
【図１９】本発明を実施するための第５の形態の正面図。
【図２０】図１８の２０−２０線に沿う断面図。
【図２１】本発明を実施するための第５の形態の分解説明図。
【図２２】本発明を実施するための第６の形態の平面図。
【図２３】本発明を実施するための第６の形態の正面図。
【図２４】図２２の２４−２４線に沿う断面図。
【符号の説明】
【００２５】
１、１Ａ、１Ｂ、１Ｃ、１Ｄ、１Ｅ：椅子、
２、２Ａ、２Ｂ：脚部材、                        ３：凹部、
４、４Ａ、４Ｂ、４Ｃ、４Ｄ：座板、
５：タッピングビス、                    ６：ボルト、
７：ハンガーボルト、                    ８、９：座金、
１０、１１：ねじ部、                    １２、１２Ａ：ポール、
１３：輪、                                        １４：玉、
１５：ねじ部、                                １６：ねじ部、
１７：ねじ部、                                １８：ねじ部。
【図１】
2008029592.tif 000003
【図２】
2008029592.tif 000004
【図３】
2008029592.tif 000005
【図４】
2008029592.tif 000006
【図５】
2008029592.tif 000007
【図６】
2008029592.tif 000008
【図７】
2008029592.tif 000009
【図８】
2008029592.tif 000010
【図９】
2008029592.tif 000011
【図１０】
2008029592.tif 000012
【図１１】
2008029592.tif 000013
【図１２】
2008029592.tif 000014
【図１３】
2008029592.tif 000015
【図１４】
2008029592.tif 000016
【図１５】
2008029592.tif 000017
【図１６】
2008029592.tif 000018
【図１７】
2008029592.tif 000019
【図１８】
2008029592.tif 000020
【図１９】
2008029592.tif 000021
【図２０】
2008029592.tif 000022
【図２１】
2008029592.tif 000023
【図２２】
2008029592.tif 000024
【図２３】
2008029592.tif 000025
【図２４】
2008029592.tif 000026